(57)【特許請求の範囲】
【請求項１】
前面に開口を有するとともに、内部が上下に冷蔵室及び冷凍室に区画された本体と、前記冷凍室の背部に収納された冷却器及び送風機と、この冷却器の冷却用の圧縮機と、開口を塞ぐバッフル板と冷蔵室の温度を検出する感熱部とで構成され前記冷却器を通った冷気の一部を前記冷蔵室に供給する機械式のダンパーと、前記冷凍室の温度を検出する温度センサーと、外気温度を検出する外気温度センサーとを設けた冷蔵庫の温度制御装置において、
前記温度センサーの設定値によって前記圧縮機及び前記送風機の運転をオン・オフ制御し、前記外気温度が低温時には前記温度センサーのディファレンシャルの幅を拡大する制御装置を備えたことを特徴とする冷蔵庫の温度制御装置。
【発明の詳細な説明】
【０００１】
【発明の属する技術分野】
この発明は冷蔵庫の温度制御装置に関する。
【０００２】
【従来の技術】
従来のこの種冷蔵庫は例えば実公平４−７５０５号公報に記載されているように、冷蔵室内に冷気を流入させる吹き出し口を開閉するダンパーと、このダンパーを開閉させるベローズに連通する感熱部を庫外に設け、この感熱部に設けたヒータを冷蔵室内の温度センサーからの信号でヒータ制御回路を制御し、前記感熱部による冷蔵室の温度のバラツキやディファレンシャルを小さく抑えるようにしている。
【０００３】
【発明が解決しようとする課題】
しかしながら、従来の冷蔵庫では冷蔵室の温度を検出する温度センサーとダンパーを作動させる感熱部との温度検出部を２個設けなければならず、しかも、外気温度については何等考慮されておらず、外気温度が低温の時に圧縮機の運転時間が短くなって冷蔵室の温度が高めになる等の問題があった。
【０００４】
この発明は上記の問題を解決するもので、冷凍室の温度を検出する温度センサーのディファレンシャルを外気温度に応じて変え、圧縮機の運転時間を変えて機械式ダンパーによる冷蔵室内の温度を適正にした冷蔵庫の温度制御装置を提供することを目的とする。
【０００５】
【課題を解決するための手段】
請求項１の発明では、前面に開口を有するとともに、内部が上下に冷蔵室及び冷凍室に区画された本体と、前記冷凍室の背部に収納された冷却器及び送風機と、この冷却器の冷却用の圧縮機と、開口を塞ぐバッフル板と冷蔵室の温度を検出する感熱部とで構成され前記冷却器を通った冷気の一部を前記冷蔵室に供給する機械式のダンパーと、外気温度を検出する外気温度センサーとを設けた冷蔵庫の温度制御装置において、前記温度センサーの設定値によって前記圧縮機及び前記送風機の運転をオン・オフ制御し、前記外気温度が低温時には前記温度センサーのディファレンシャルの幅を拡大する制御装置を備え、外気温度に関係なく冷蔵室の温度を設定温度にしている。
【０００６】
【発明の実施の形態】
以下この発明を図に基づいて説明する。
【０００７】
図１はこの発明の一実施例を示す冷蔵庫の断面図である。図２はこの発明の冷凍室を示す断面図である。図３はこの発明の自動製氷機の斜視図である。図４はこの発明の制御回路図である。
【０００８】
１は冷蔵庫で、この冷蔵庫は前方に開口する鋼板製の外箱２と、この外箱内に間隔を存して組み込まれる前方に開口する硬質合成樹脂製の内箱３と、両箱２，３間に現場発泡方式にて充填された発泡ポリウレタン断熱材４とから本体５が構成されている。内箱３は仕切壁６にて上下に区画され、上側に冷蔵室７が、下側に２段に冷凍室８が形成されている。そして、冷蔵室７の前面開口は扉９で、冷凍室８の前面開口は引き出し扉１０にて開閉自在に閉塞されている。
【０００９】
引き出し扉１０には裏面に一端を固定したコ字状の枠体１１が固定されている。
この枠体は本体５に設けられたローラ付固定レール１２に前後方向に摺動自在に嵌合され、左右に２つに仕切られた下容器１３を内部で保持している。この下容器の上方には上容器１４と自動製氷機１５とが配置されている。
【００１０】
冷凍室８の背部には区画壁１６によって区画されて冷却器１７と、この冷却器の上方に配置された送風機１８とを収納する冷却器室１９が設けられている。区画壁１６には送風機１８の前方に冷凍室８内に冷却器１７で冷却された冷気を吹き出すスリット１８Ａが設けられている。
【００１１】
２０は冷却器１７で冷却された冷気の一部を冷蔵室７に供給する機械式のダンパーサーモで、このダンパーサーモは開口を塞ぐバッフル板２１と、冷蔵室７の温度を検出する感熱部２２とで構成されている。
【００１２】
自動製氷機１５は下方に開口を有する取付フレーム２３と、このフレーム内に収納される製氷皿２４と、この製氷皿を回動する駆動装置２５とで構成されている。製氷皿２４の下方に配置される下容器１３の一方には氷受け皿２６が形成されている。
【００１３】
取付フレーム２３の後方には送風機１８から吹き出される冷気をこの取付フレーム内に供給する吹き出し口２７が設けられている。この吹き出し口は仕切板２８によって２つに分けられている。
【００１４】
２９は製氷皿２４と区画された仕切板２８の外側に設置される温度センサーで、この温度センサーは吹き出し口２７から吹き出される冷気の温度を直接検出し、冷凍室８内の温度を検出している。
【００１５】
３０は本体５の外部に設けた外気温度センサーである。
【００１６】
３１は冷却器１７を冷却する圧縮機で、この圧縮機は本体５の下部の機械室３２内に収納されている。
【００１７】
図４は制御回路を示し、３３は冷凍室８内に設けた温度センサー２９と外気温度センサー３０とによって圧縮機３１及び送風機１８の運転を制御するとともに、外気温度に応じて温度センサー２９のディファレンシャルを変える制御装置で、この制御装置は温度センサー２９、外気温度センサー３０及び抵抗３４をブリッジ接続した回路に接続されるとともに、圧縮機３１及び送風機１８を駆動する出力回路３５に接続されている。そして、制御装置３３は温度センサー２９の設定値によって圧縮機３１及び送風機１８の運転をオン・オフ制御している。温度センサー２９は外気温度センサー３０で検出した外気温度によってディファレンシャルが変化するようにしている。すなわち、制御装置３３は外気温度が２５℃以下の場合にはディファレンシャルを拡大し、２５℃以上の場合にはディファレンシャルを狭くするように温度センサー２９のディファレンシャルを変えるようにしている。
【００１８】
このように構成された冷蔵庫の温度制御装置において、圧縮機３１及び送風機１８は制御装置３３によって冷蔵室７と冷凍室８とを設定温度になるように運転される。冷凍室８は冷却器１７で冷却されて送風機１８によってスリット１８Ａから吹き出される冷気によって冷却され、冷蔵室７は冷却器１７で冷却された冷気の一部を機械式ダンパーサーモ２０によって調整して冷却するようにしている。
【００１９】
制御装置３３は冷凍室８の温度を検出する温度センサー２９により、圧縮機３１及び送風機１８をオン・オフ制御している。また、制御装置３３は外気温度センサー３０で検出された外気温度によって温度センサー２９のディファレンシャルを２５℃以下では例えば６ｄｅｇに拡大し、２５℃以上では４ｄｅｇに狭くして圧縮機３１の運転率を変えるようにしている。すなわち、制御装置３３は低温時には温度センサー２９のディファレンシャルを拡大して圧縮機３１の運転時間が長くなるようにして冷蔵室７内の温度を機械式のダンパーサーモ２０を使用しても設定温度に維持できるようにしている。
【００２０】
この発明は外気温度を検出する外気温度センサー３０によって冷凍室８の温度を検出する温度センサー２９のディファレンシャルを変えることにより、温度反応の遅い機械式のダンパーサーモ２０を用いても冷蔵室７内の温度を設定温度に維持させることができるようにしたものである。
【００２１】
【発明の効果】
請求項１の発明によれば、前面に開口を有するとともに、内部が上下に冷蔵室及び冷凍室に区画された本体と、前記冷凍室の背部に収納された冷却器及び送風機と、この冷却器の冷却用の圧縮機と、前記冷却器を通った冷気の一部を冷蔵室に供給する機械式のダンパーと、前記冷凍室の温度を検出する温度センサーと、外気温度を検出する外気温度センサーとを設けた冷蔵庫の温度制御装置において、外気温度に応じて前記温度センサーのディファレンシャルの幅を変える制御装置を備えたので、外気温度によって前記圧縮機の運転時間を変化でき、冷蔵室の温度を制御するダンパーを機械式のダンパーにしても外気温度の低いときに前記冷蔵室の温度が設定値よりも高めになるのを防止できる。
【図面の簡単な説明】
【図１】  この発明の一実施例を示す冷蔵庫の断面図である。
【図２】  この発明の冷凍室を示す断面図である。
【図３】  この発明の自動製氷機の斜視図である。
【図４】  この発明の制御回路図である。
【符号の説明】
１  冷蔵庫
５  本体
７  冷蔵室
８  冷凍室
１７  冷却器
１８  送風機
２０  機械式のダンパー
２９  温度センサー
３０  外気温度センサー
３１  圧縮機
【図１】
0003744575.tif 000002
【図２】
0003744575.tif 000003
【図３】
0003744575.tif 000004
【図４】
0003744575.tif 000005